(57)【要約】【課題】米袋を取り出し易く、保冷可能な米袋収容庫を提供することである。【解決手段】設定した大きさの米袋３を縦姿勢にして複数個収容可能とした縦長の箱体１と、箱体１の上部に設けた横軸を支点とする開閉自在の上蓋２とからなり、上蓋２が開いた時には、少なくとも一個の米袋３の上端部が箱体１の上面位置より上方に突出し、かつ上蓋２を閉じた時には、上蓋２と箱体１とで密閉空間を形成した米袋収容庫である。【選択図】図１
2013177149.tif 000002
【特許請求の範囲】
【請求項１】
設定した大きさの米袋（３）を縦姿勢にして複数個収容可能とした縦長の箱体（１）と、
該箱体（１）の上部に設けた横軸を支点とする開閉自在の上蓋（２）とからなり、
該上蓋（２）が開いた時には、少なくとも一個の米袋（３）の上端部が箱体（１）の上面位置より上方に突出し、かつ上蓋（２）を閉じた時には、上蓋（２）と箱体（１）とで密閉空間を形成したことを特徴とする米袋収容庫。
【請求項２】
縦長の箱体（１）の内部を前後方向又は左右方向に仕切る仕切り体（５）を設けたことを特徴とする請求項１記載の米袋収容庫。
【請求項３】
上蓋（２）は箱体（１）の後壁の上端部に設けた横軸を支点として前後方向に開閉自在とし、
箱体（１）の左右両側壁は前側を低位に後ろ側を高位に構成したことを特徴とする請求項１又は２記載の米袋収容庫。
【請求項４】
仕切り体（５）には通風開口部（５ａ）を設け、箱体（１）内を冷却する冷却機（７）を箱体（１）に取り付けたことを特徴とする請求項２記載の米袋収容庫。
【請求項５】
冷却機（７）を箱体（１）の後壁の下部に配置し、箱体（１）の前壁に折り畳み式の米袋置き台（６）を設け、上蓋（２）は箱体（１）の後壁の上端部を支点として前後方向に開閉自在としたことを特徴とする請求項４記載の米袋収容庫。
【発明の詳細な説明】
【技術分野】
【０００１】
この発明は、複数の米を入れた袋を収容する米袋収容庫に関する。
【背景技術】
【０００２】
従来、米を入れた袋を収容する米袋収容庫を横姿勢にして複数個積み重ねて収容する保冷庫が知られている（特開２０１０−１０７１５８号公報）。
【先行技術文献】
【特許文献】
【０００３】
【特許文献１】特開２０１０−１０７１５８号公報
【発明の概要】
【発明が解決しようとする課題】
【０００４】
前記特許文献１記載の発明は、前面に設けた扉を開いた上で、多数の米袋を積み重ねて横積みに収容し、冷却装置で保冷状態にして保存する保冷庫であるが、段積みしているため米袋を取り出し難い。  
そこで、本発明の課題は米袋を取り出し易く、保冷可能な米袋収容庫を提供することである。
【課題を解決するための手段】
【０００５】
上記本発明の課題を解決するために次のような解決手段を採用する。  
すなわち、請求項１記載の発明は、設定した大きさの米袋（３）を縦姿勢にして複数個収容可能とした縦長の箱体（１）と、該箱体（１）の上部に設けた横軸を支点とする開閉自在の上蓋（２）とからなり、該上蓋（２）が開いた時には、少なくとも一個の米袋（３）の上端部が箱体（１）の上面位置より上方に突出し、かつ上蓋（２）を閉じた時には、上蓋（２）と箱体（１）とで密閉空間を形成したことを特徴とする米袋収容庫である。
【０００６】
請求項２記載の発明は、縦長の箱体（１）の内部を前後方向又は左右方向に仕切る仕切り体（５）を設けたことを特徴とする請求項１記載の米袋収容庫である。
【０００７】
請求項３記載の発明は、上蓋（２）は箱体（１）の後壁の上端部に設けた横軸を支点として前後方向に開閉自在とし、箱体（１）の左右両側壁は前側を低位に、後ろ側を高位に構成したことを特徴とする請求項１又は２記載の米袋収容庫である。
【０００８】
請求項４記載の発明は、仕切り体（５）には通風開口部（５ａ）を設け、箱体（１）内を冷却する冷却機（７）を箱体（１）に取り付けたことを特徴とする請求項２記載の米袋収容庫である。
【０００９】
請求項５記載の発明は、冷却機（７）を箱体（１）の後壁の下部に配置し、箱体（１）の前壁に折り畳み式の米袋置き台（６）を設け、上蓋（２）は箱体（１）の後壁の上端部を支点として前後方向に開閉自在としたことを特徴とする請求項４記載の米袋収容庫である。
【発明の効果】
【００１０】
請求項１記載の発明によれば、  米袋３が縦姿勢で収容され、段積みされていないので米袋３を取り出し易い。また上蓋２を開放した時に米袋３の上端が箱体１の上面位置より上方に突出しているために米袋３を把持しながら収容庫から引き出し易い。
【００１１】
請求項２記載の発明によれば、請求項１記載の発明の効果に加えて、米袋３を、例えば一体ずつ縦姿勢で箱体１内に収容できるので、米袋３の収容と取り出しが容易に行える。
【００１２】
請求項３記載の発明によれば、請求項１又は２記載の発明の効果に加えて、上蓋２を開いた時に米袋３の前側上部及び上端部が露出するので取り出し易く、かつ上蓋２を極力小さくできるので開閉し易い。
【００１３】
請求項４記載の発明によれば、請求項２記載の発明の効果に加えて、箱体１内に特別の冷却機７の冷気が通過する通路を設けなくても、箱体１に取り付けた冷却機７からの冷気が箱体１内に良く行き渡る。
【００１４】
請求項５記載の発明によれば、請求項４記載の発明の効果に加えて、米袋３の収容と取り出し及び上蓋２の開閉に冷却機７が邪魔にならなく、また袋置き台６により米袋３の収容と取り出しが容易である。
【図面の簡単な説明】
【００１５】
【図１】本発明の一実施形態による米袋を前後方向に並べて収容した米袋収容庫の外観斜視図である。
【図２】図１の米袋収容庫の側面図（図２（ａ））と上蓋を取り外した米袋収容庫の平面図（図２（ｂ））である。
【図３】本発明の一実施形態による米袋を左右方向に並べて収容した米袋収容庫の上蓋２を開いた状態での米袋収容庫の斜視図である。
【図４】別実施例の米袋収容庫の一部の側断面図である。
【図５】別実施例の米袋収容庫の開口部に取り付けたダクトとフィルタの斜視図である。
【図６】別実施例の米袋収容庫箱体の一部の側断面図である。
【図７】本実施の形態の米袋を示す図である。
【発明を実施するための形態】
【００１６】
以下、図面に基づいてこの発明の実施態様について説明する。  
図１に２つの米袋を前後に並べて収容した米袋収容庫の外観斜視図を示し、図２には図１の米袋収容庫の側面図（図２（ａ））と、上蓋を取り外した米袋収容庫の平面図（図２（ｂ））を示し、図３には２つの米袋を左右並べて収容し、上蓋を開いた状態の米袋収容庫の斜視図を示す。
【００１７】
本実施例の米袋収容庫は、縦長の箱体１と開閉蓋（上蓋）２からなり、箱体１の上方に上蓋２を設け、箱体１の内部には縦姿勢にした米袋３を、図１、図３に示す例では共に２つ収容できるスペースを備えた例を示しているが、収容可能なスペースは２つ分の米袋３，３の大きさに限定されない。  
本実施の形態で使用する米袋３は、図７に示すように、前後長さＭと左右長さＹと縦方向の長さＴがＭ＜Ｙ＜Ｔの関係となる直方体状の形状である。
【００１８】
上蓋２は箱体１の後壁に設けた横軸を中心として前後方向に回動する構成であり、箱体１の後壁に設けられた横軸を支点として前後方向に上蓋２を開放した時に、米袋３の上端部が箱体１の両側壁と前壁の上端部より上方に突出（露出）する構成としている。また、箱体１の左右両側壁の前側を低位とし、後側を高位として両側壁の上端部が前後方向に傾斜している。
【００１９】
したがって、上蓋２を開放した状態で、箱体１内に縦姿勢で収容された米袋３の両側面が箱体１の左右両側壁の上方に露出しているので、この部分を把持し易く、一つずつ米袋３を容易に取り出すことができる。  
なお、箱体１と上蓋２の各壁面は断熱構造としている。
【００２０】
米袋収容庫内に２つ並べて収容した米袋３の間には仕切り体５を配置することが望ましい。該仕切り体５には通風開口部５ａを設けて、空気が流通し易い構成にすると、米袋収容庫内の冷気が収容庫内部空間の全体に循環する。
【００２１】
仕切り体５は本実施の形態では箱体１を前後方向に仕切る構成としている。そして、米袋３を左右長さＹを左右方向の姿勢とし、かつ縦方向Ｔが縦姿勢に収容すると、前側の米袋３の上端部が箱体１から露出し、作業者は両手で米袋３の前後長さＭ側を把持することができ、引き出し易い。また、米袋３を箱体１内へ収容し易い。  
なお、箱体１を前後方向に長くし，仕切り体５を左右に仕切る構成でも良い。
【００２２】
特許文献１記載の保冷庫が前面開放型の扉であるのに対して、本実施例の収容庫の開放扉を上蓋２とし、該上蓋２を縦姿勢にした米袋３の厚み相当の大きさの開放扉とすることができるので、米袋３の出し入れを小さなスペースで行うことができる。  
さらに、特許文献１記載の保冷庫のように米袋３を積み重ねる必要もないので、容易に特定の米袋３を米袋収容庫から取り出せる。なお米袋３がなくなったら、米袋３以外のものを収納庫に入れて保管できる。
【００２３】
箱体１の後壁には箱体１内に冷気を供給する冷却機７を取り付けている。  
また、箱体１の前壁には米袋３の置き台６を設けている。重い米袋３を一旦、米袋置き台６に置いておき、米袋３の置き台６からさらに少し持ち上げるだけで、容易に米袋収容庫内に置き換えることができる。また、米袋置き台６を折り畳み自在にしておくと、不要な時には折り畳んでおける。
【００２４】
図４から図６は、冷却機７を箱体１の上面に載置した構成を示す別実施例である。図４に米袋収容庫箱体１の一部の側断面図を示すように、箱体１の上壁に冷却機７を取り付けている。該冷却機７の筐体は、発泡スチロールなどを構成部材として含む断熱壁でできている。そして、箱体１の上壁に第一開口部１ａと第二開口部１ｂを形成し、冷却機７は第一開口部１ａと第二開口部１ｂを覆う構成としている。第一開口部１ａの下方には、冷却機７で発生した冷気を箱体内部の空間に案内するダクト１０を設け、第二開口部１ｂの下方には箱体内に吸引される冷気が通過するフィルタ９を設けている。  
ダクト１０と箱形のフィルタ９は隣接して配置している。
【００２５】
冷却機７内には蒸発器１１とファン１２が隣接配置され、ファン１２及び蒸発器により第一開口部１ａ及びダクト１０を経由して箱体内部の空間に冷気が案内され、また、箱体内部の空間からフィルタ９及び第二開口部１ｂを経由して冷却機７内に冷気が吸引される。
【００２６】
フィルタ９で収容庫内の塵などが冷却機７に吸い込まれ、冷却機内に塵埃が堆積し、水の排水機能の低下による収容庫内への水漏れを阻止できる。また図５に示すようにフィルタ９は３次元形状のものを使用するために、フィルタ９の表面積を大きくすることができるので、冷却効率の低下を防止できる。
【００２７】
また、図６に別実施例の米袋収容庫箱体１の一部の側断面図を示す。この構成例では、冷却機７の断熱体１３を箱体１の内部から着脱自在とした。  
断熱体１３の一部を箱体１に対して着脱自在とするために、ダクト１０と断熱体１３との間にパッキン１４を配置しておき、フィルタ９とダクト１０とパッキン１４を取り外すことにより断熱体１３が簡単に外れ、蒸発器１１の点検、清掃などを容易に行えるようになる。
【００２８】
図４から図６の冷却機は箱体１の上壁に備えたもので説明したが、向きを変えて図１の箱体１の後ろ壁に取り付ける構成としても良い。
【符号の説明】
【００２９】
１  米袋収容庫箱体                    ２  上蓋
３  米袋                              ５  仕切り体
６  米袋置き台                        ７  冷却機
９  フィルタ                          １０  ダクト
１１  蒸発器                          １２  ファン
１３  断熱体                          １４  パッキン
【図１】
2013177149.tif 000003
【図２】
2013177149.tif 000004
【図３】
2013177149.tif 000005
【図４】
2013177149.tif 000006
【図５】
2013177149.tif 000007
【図６】
2013177149.tif 000008
【図７】
2013177149.tif 000009